【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
前端と、前記前端から後方向に離間された後端とを有する骨固定器具であって、前記骨固定器具は、骨固定部材に張力を適用して、前記骨固定部材を標的の骨の周囲に締め付けるように構成されており、
前記骨固定部材の自由端に取り付けるように構成されている握り部と、
トラベラであって、前記握り部が前記骨固定部材に取り付けられているとき、前記トラベラが前記後方向に移動するにつれて、前記骨固定部材における張力を増大させるために前記握り部が前記トラベラとともに前記後方向に移動するように、前記握り部を支持する、トラベラと、
カッター刃を運ぶカッターアームであって、前記握り部が前記骨固定部材に取り付けられているとき、前記カッター刃が前記骨固定部材の前記自由端を切断する切断位置まで前記カッター刃を移動させるように構成されている、カッターアームと、
選択的に独立して前記トラベラ及び前記カッターアームと連結するように構成されているアクチュエータと、
第１の位置と第２の位置との間で移動可能であるトグル部材であって、１）前記トグル部材が前記第１の位置にあるとき、前記骨固定器具は、前記アクチュエータの移動が前記トラベラを前記後方向に移動させ、それによって前記握り部が前記骨固定部材に取り付けられているとき、前記骨固定部材における前記張力を増大させる、張力モードであり、２）前記トグル部材が前記第２の位置にあるとき、前記骨固定器具は、前記アクチュエータの移動が前記カッターアームに前記カッター刃を前記切断位置まで移動させる、切断モードである、トグル部材と、
前記骨固定部材が前記張力モードであるとき、前記アクチュエータと連結され、前記骨固定部材が前記切断モードであるとき、前記アクチュエータから分離される、力伝達部材と、を備え、前記アクチュエータは、作動ピンを画定し、前記作動ピンは、前記骨固定器具が前記張力モードであるとき、前記力伝達部材の溝に受容され、前記骨固定器具が前記切断モードであるとき、前記溝から離れる、骨固定器具。
【請求項２】
前記骨固定器具が前記張力モードであり、前記握り部が前記骨固定部材に取り付けられているとき、前記アクチュエータの移動は、前記骨固定部材における前記張力が所定の張力に達するまで前記トラベラを前記後方向に移動させる、請求項１に記載の骨固定器具。
【請求項３】
前記力伝達部材と前記トラベラとの間に連結される、張力リミタを更に備える、請求項１又は２に記載の骨固定器具。
【請求項４】
前記張力リミタの前記変形は、前記骨固定部材における前記張力が所定の張力未満であるとき、前記アクチュエータの前記第２の位置に向かう移動に応じて前記トラベラを後方に移動させ、前記骨固定部材における前記張力が前記所定の張力に達するとき、前記アクチュエータの前記第２の位置に向かう移動に応じて前記トラベラを前記後方向に移動させない、請求項３に記載の骨固定器具。
【請求項５】
前記張力リミタは、前記骨固定器具が前記張力モードである間に前記アクチュエータが前記第２の位置から前記第１の位置に向かって移動するとき、前記トラベラを前記後方向と反対側の前方向に更に移動させる、請求項３又は４に記載の骨固定器具。
【請求項６】
前記張力リミタが、前記アクチュエータと前記トラベラとの間に接続されるばね部材を備え、前記骨固定器具が前記張力モードであるとき、前記アクチュエータの動きが、前記ばね部材を屈曲させ、かつ付勢力下で前記トラベラを後方に付勢させる、請求項３〜５のいずれか一項に記載の骨固定器具。
【請求項７】
前記付勢力が前記骨固定部材における前記張力を超えるときに、前記トラベラが後方に移動する、請求項６に記載の骨固定器具。
【請求項８】
前記握り部が前記後方向に移動する間に、前記握り部が前記骨固定部材の前記自由端と連動し、前記握り部が前記前方向に移動するとき、前記握り部が前記骨固定部材の前記自由端に沿って動く、請求項５〜７のいずれか一項に記載の骨固定器具。
【請求項９】
前記骨固定器具が前記張力モードであるとき、前記アクチュエータが第１の軸の周囲を移動し、前記骨固定器具が前記切断モードであるとき、前記アクチュエータが前記第１の軸から離間される第２の軸の周囲を移動する、請求項１〜８のいずれか一項に記載の骨固定器具。
【請求項１０】
前記アクチュエータが、ピボットピンを受容する溝を画定し、前記骨固定器具が前記張力モードであるとき、前記ピボットピンが第１の位置にあり、前記骨固定器具が前記切断モードであるとき、前記ピボットピンが前記第１の位置から前記後方向に離間された第２の位置にある、請求項９に記載の骨固定器具。
【請求項１１】
前記骨固定器具が前記切断モードであるとき、前記トグル部材の前記第２の位置への移動が、前記アクチュエータを前記カッターアームに隣接させる、請求項１〜１０のいずれか一項に記載の骨固定器具。
【請求項１２】
前記アクチュエータは、作動ピンを画定し、前記作動ピンは、前記骨固定器具が前記張力モードであるとき、前記力伝達部材の溝に受容され、前記骨固定器具が前記切断モードであるとき、前記溝から離れる、請求項１〜１１のいずれか一項に記載の骨固定器具。
【請求項１３】
前記骨固定器具が前記切断モードであるとき、前記作動ピンが、前記切断部材と隣接する、請求項１２に記載の骨固定器具。
【請求項１４】
前記アクチュエータの動きが、前記切断刃を前記切断位置へ移動させるために前記作動ピンに前記切断部材を駆動させる、請求項１３に記載の骨固定器具。
【請求項１５】
前端と、前記前端から後方向に離間された後端とを有する骨固定器具であって、前記骨固定器具は、骨固定部材に張力を適用して、前記骨固定部材を標的の骨の周囲に締め付けるように構成されており、
前記骨固定部材の自由端に取り付けるように構成されている握り部と、
トラベラであって、前記握り部が前記骨固定部材に取り付けられているとき、前記トラベラが前記後方向に移動するにつれて、前記骨固定部材における張力を増大させるために前記握り部が前記トラベラとともに前記後方向に移動するように、前記握り部を支持する、トラベラと、
カッター刃を運ぶカッターアームであって、前記カッターアームは、前記握り部が前記骨固定部材に取り付けられているとき、前記カッター刃が前記骨固定部材の前記自由端を切断する切断位置まで前記カッター刃を移動させるように構成されている、カッターアームと、
第１のピボット軸及び前記第１のピボット軸から離間される第２のピボット軸の周囲を選択的に旋回するように構成されるアクチュエータであって、前記アクチュエータが前記第１のピボット軸の周囲を旋回するとき、前記骨固定器具は、前記アクチュエータが前記トラベラに対し前記後方向に力を加える、張力モードであり、前記アクチュエータが前記第２のピボット軸の周囲を旋回するとき、前記骨固定器具は、前記アクチュエータが前記カッター部材に力を加え、これにより前記カッター部材に前記切断刃を前記切断位置に移動させる、切断モードである、アクチュエータと、を備え、
前記アクチュエータが、ピボットピンを受容する溝を画定し、前記ピボットピンは、前記第１のピボット軸を画定するように前記溝内の第１の位置にあり、前記ピボットピンは、前記第２のピボット軸を画定するように前記第１の位置から前記後方向に離間された前記溝内の第２の位置にある、骨固定器具。
【請求項１６】
前記アクチュエータが、選択的に独立して前記トラベラ及び前記カッターアームと連結されるように構成されている、請求項１５に記載の骨固定器具。
【請求項１７】
前記アクチュエータが前記第１のピボット軸の周囲を旋回するとき、前記アクチュエータが前記トラベラと連結され、前記アクチュエータが前記第２のピボット軸の周囲を旋回するとき、前記アクチュエータが前記カッターアームと連結される、請求項１５又は１６に記載の骨固定器具。
【請求項１８】
前記アクチュエータが前記第１のピボット軸の周囲を旋回するとき、前記アクチュエータが前記カッターアームから分離され、前記アクチュエータが前記第２のピボット軸の周囲を旋回するとき、前記アクチュエータが前記トラベラから分離される、請求項１５〜１７のいずれか一項に記載の骨固定器具。
【請求項１９】
第１の位置と第２の位置との間で移動可能であるトグル部材を更に備え、１）前記トグル部材が前記第１の位置にあるとき、前記骨固定器具は、前記握り部が前記骨固定部材に取り付けられているとき、前記第１のピボット軸の周囲の前記アクチュエータの移動が、前記骨固定部材における前記張力が所定の張力に達するまで、前記トラベラを前記後方向に移動させる、張力モードであり、２）前記トグル部材が前記第２の位置にあるとき、前記骨固定器具は、前記第２のピボット軸の周囲の前記アクチュエータの移動が前記カッターアームに前記カッター刃を前記切断位置まで移動させる、切断モードである、請求項１５〜１８のいずれか一項に記載の骨固定器具。